(57)【要約】      （修正有）【課題】ラミネートを設置するときに、大幅な高さの低下がなく、補強段により、横方向主体の構造強度が増加され、ユーザーの手が傷つけられることを防止可能な展示棚用ビームを提供する。【解決手段】ビーム１０は、横方向主体１１と、垂直に横方向主体と連接する凭れ掛かり段１２とから構成され、ある長さを有し、横方向主体の幅は、凭れ掛かり段の幅と同じであり、横方向主体の凭れ掛かり段から遠く離れた側辺に補強段１３が設けられ、補強段は、凭れ掛かり段へ湾曲され、横方向主体の両端には、延在段１４がそれぞれ設けられ、延在段は、横方向主体と同じ平面に位置し、互に平行であり、延在段の長さは、横方向主体の幅の２倍であり、延在段の凭れ掛かり段から遠く離れた面に固定部材が複数設けられている。また凭れ掛かり段と延在段の周縁角部は丸められている。【選択図】図１
0003226369.tif 000002
【実用新案登録請求の範囲】
【請求項１】
ビームを備え、前記ビームは、横方向主体と、垂直であるように前記横方向主体と連接する凭れ掛かり段とから構成され、ある長さを有し、前記横方向主体の幅は、前記凭れ掛かり段の幅と同じであり、前記横方向主体の前記凭れ掛かり段から遠く離れた側辺に補強段が設けられており、前記補強段は、前記凭れ掛かり段へ湾曲され、前記横方向主体の両端には、延在段がそれぞれ設けられており、前記延在段は、前記横方向主体と同じ平面に位置し、互に平行であり、前記延在段の長さは、前記横方向主体の幅の２倍であり、前記延在段の前記凭れ掛かり段から遠く離れた面に固定部材が複数設けられていることを特徴とする展示棚用ビーム。
【請求項２】
前記凭れ掛かり段の両端とそれに対応する前記延在段との間にノッチがそれぞれ設けられており、前記凭れ掛かり段と前記延在段との周縁の角部は丸い角であることを特徴とする、請求項１に記載の展示棚用ビーム。
【請求項３】
前記各固定部材は、ネック部と、ヘッド部と、を有し、前記ヘッド部の断面の直径は、前記ネック部の断面の直径より大きいことを特徴とする、請求項１に記載の展示棚用ビーム。
【考案の詳細な説明】
【技術分野】
【０００１】
本考案は、ビームに関し、特に、展示棚用ビームに適用され、組付け可能な方向が二つあり、一つは、展示棚の範囲内にラミネートを規制し、品物の墜落の可能性を降下可能であり、もう一つはラミネートや品物の設置を便利にすることが可能な展示棚用ビームに関するものである。
【背景技術】
【０００２】
山形鋼は、組付け作業が便利であり、支持性が良いため、山形鋼で組付けられた展示棚が広汎に利用されている。このような展示棚は、ユーザーのニーズによって、横方向に沿う山形鋼の高さを調整することができ、当該山形鋼にラミネートを置くと、ラミネートに品物を置くことができる。
【０００３】
しかしながら、ラミネートは、作製するときに、展示棚の寸法に合わないことがあるため、切断されたラミネートの寸法がより小さい場合に、展示棚に当該ラミネートを置くと、左右にスライドしやすく、ラミネートに品物を置くと、当該品物はラミネートから転落する可能性がある。
【考案の概要】
【考案が解決しようとする課題】
【０００４】
本考案の主な目的は、ラミネートを設置するときに、大幅な高さの低下はなく、補強段により、横方向主体の構造強度が増加され、ユーザーの手が傷つけられることを防止可能な展示棚用ビームを提供することにある。
【課題を解決するための手段】
【０００５】
本考案に係る展示棚用ビームによると、ビームを備え、ビームは、横方向主体と、垂直であるように横方向主体と連接する凭れ掛かり段とから構成され、ある長さを有し、横方向主体の幅は、凭れ掛かり段の幅と同じであり、横方向主体の凭れ掛かり段から遠く離れた側辺に補強段が設けられており、補強段は、凭れ掛かり段へ湾曲され、横方向主体の両端には、延在段がそれぞれ設けられており、延在段は、横方向主体と同じ平面に位置し、互に平行であり、延在段の長さは、横方向主体の幅の２倍であり、延在段の凭れ掛かり段から遠く離れた面に固定部材が複数設けられていることを特徴とする。
【０００６】
本考案に係る展示棚用ビームによると、凭れ掛かり段の両端とそれに対応する延在段との間にノッチがそれぞれ設けられており、凭れ掛かり段と延在段との周縁の角部は丸い角であることを特徴とする。
【０００７】
本考案に係る展示棚用ビームによると、各固定部材は、ネック部と、ヘッド部と、を有し、ヘッド部の断面の直径は、ネック部の断面の直径より大きいことを特徴とする。
【考案の効果】
【０００８】
本考案に係る展示棚用ビームによれば、次のような効果がある。
（１）ビームは、二つの方向で展示棚に組付けることが可能である。第１の方向で展示棚に組付けると、延在段が下方に向くように、展示棚にビームを組付けることにより、凭れ掛かり段がラミネートを支持すると共に、横方向主体により、ラミネートが、規制されて、揺れられて展示棚の範囲を超えることがなく、ラミネートに置かれる複数の物体の墜落を回避することができる。第２の方向で展示棚に組付けると、延在段が上方に向くように、展示棚にビームを組付けることにより、ラミネートと品物を置くのに便利となる。一方、横方向主体と凭れ掛かり段との幅は同じであり、各延在段の長さは横方向主体の幅の２倍であるため、あるビームを第１の方向で、あるビームを第２の方向で、展示棚に組付けることにより、ラミネートを設置するときに、大幅な高さの低下はない。
【０００９】
（２）補強段により、横方向主体の構造強度が増加され、そしてユーザーは、ビームを握るときに、手が傷つけられることを防止することができる。
【図面の簡単な説明】
【００１０】
【図１】本考案に係る展示棚用ビームを前方から見た斜視図である。
【図２】本考案に係る展示棚用ビームを後方から見た斜視図である。
【図３】本考案に係る展示棚用ビームを示す側面図である。
【図４】本考案に係る展示棚用ビームを示す平面図である。
【図５】本考案に係る展示棚用ビームが山形鋼に組付けられた第１の実施例を示す図である。
【図６】本考案に係る展示棚用ビームが山形鋼に組付けられた第２の実施例を示す図である。
【図７】本考案に係る展示棚用ビームが山形鋼に組付けられた第３の実施例を示す図である。
【考案を実施するための形態】
【００１１】
以下、本考案の実施の形態を図面に基づいて説明する。
【００１２】
図１を参照する。本考案に係る展示棚用ビームは、ビーム１０を備える。ビーム１０は、横方向主体１１と、横方向主体１１に垂直である凭れ掛かり段１２とから構成され、ある長さを有する。横方向主体１１と凭れ掛かり段１２との幅は同じである。横方向主体１１の凭れ掛かり段１２から遠く離れた側辺に補強段１３が設けられている。補強段１３は、凭れ掛かり段１２へ湾曲される。横方向主体１１の両端には、延在段１４がそれぞれ設けられている。凭れ掛かり段１２の両端とそれに対応する延在段１４との間にノッチ１５がそれぞれ設けられている。凭れ掛かり段１２と延在段１４との周縁の角部は丸い角であるため、ユーザーがビーム１０を握るときに手が傷つけられることを防止することができる。
【００１３】
このように、横方向主体１１と凭れ掛かり段１２との幅は同じであり、各延在段１４の長さは横方向主体１１の幅の２倍であるため、同じ高さの展示棚は、複数の延在段１４が下方に向くように、展示棚にビーム１０を組付け、又は複数の延在段１４が上方に向くように、展示棚にビーム１０を組付け、更に、延在段１４の方向を混ぜて展示棚にビーム１０を組付けても、各凭れ掛かり段１２の水平の高さが影響されない。換言すると、展示棚において、各凭れ掛かり段１２が同じ水平な面に位置する。
【００１４】
図２を参照する。各延在段１４と横方向主体１１とは、同じ平面に位置し、互いに平行である。各延在段１４の凭れ掛かり段１２から遠く離れた面に固定部材１６が複数設けられている。各固定部材１６は、ネック部１６１と、ヘッド部１６２と、を有する。ヘッド部１６２の断面の直径は、ネック部１６１の断面の直径より大きい。
【００１５】
図３及び図４を参照する。湾曲された補強段１３は、一定の厚さを有するため、横方向主体１１の構造強度を増加することができ、支持力が増加する。
【００１６】
図５を参照する。複数のビーム１０は、延在段１４が下方に向くように、展示棚の複数の山形鋼２０に組付けられる。横方向主体１１は、凭れ掛かり段１２より高いため、止め縁とすることができる。
【００１７】
図６を参照する。複数のビーム１０は、延在段１４が上方に向くように、展示棚の複数の山形鋼２０に組付けられる。横方向主体１１は、凭れ掛かり段１２より低いため、凭れ掛かり段１２の側辺は品物を止める効果を有しない。
【００１８】
図３及び図７を参照する。複数のビーム１０は、延在段１４の向く方向が混ざるように、展示棚の複数の山形鋼２０に組付けられる。二つのビーム１０は、延在段１４が下方に向くように、展示棚の複数の山形鋼２０に組付けられ、そして二つのビーム１０は、延在段１４が上方に向くように、展示棚の複数の山形鋼２０に組付けられる。各固定部材１６は、それに対応する山形鋼２０に係止されている。横方向主体１１と凭れ掛かり段１２との幅は同じであり、且つ各延在段１４の長さは横方向主体１１の幅の２倍であるため、複数の凭れ掛かり段１２は、互いに平行であり、同じ水平な面に位置する。複数の凭れ掛かり段１２にラミネート２１を置いた後、ラミネート２１の四つのコーナーの高さは同じである。ラミネート２１に複数の物体２２１を置こうとする場合には、延在段１４が上方に向く複数のビーム１０から物体２２１を入れるときに、当該ビーム１０が止め効果を有しないため、物体２２１を置くのに便利である。また、ラミネート２１に物体２２２置いた後、横方向主体１１と補強段１３とによる規制により、物体２２２の落下を防止することができる。ユーザーは、ニーズによって、延在段１４の向く方向が異なるビーム１０を混ぜて使用することができる。
【符号の説明】
【００１９】
１０  ビーム
１１  横方向主体
１２  凭れ掛かり段
１３  補強段
１４  延在段
１５  ノッチ
１６  固定部材
１６１  ネック部
１６２  ヘッド部
２０  山形鋼
２１  ラミネート
２２１  物体
２２２  物体
【図１】
0003226369.tif 000003
【図２】
0003226369.tif 000004
【図３】
0003226369.tif 000005
【図４】
0003226369.tif 000006
【図５】
0003226369.tif 000007
【図６】
0003226369.tif 000008
【図７】
0003226369.tif 000009